(57)【要約】      （修正有）【課題】放熱性能を向上させたコネクタを提供する。【解決手段】コネクタ１０は、接続部１００、第一のソケット２００及び第二のソケット３００を含み、接続部は接続部本体１１０及び接続部端子１２０を含み、接続部本体が第一の係止溝１１１及び第二の係止溝がそれぞれで設置され、さらに接続部本体が挿入孔及び中間通気孔が設置され、挿入孔は第一の係止溝と第二の係止溝とそれぞれに連通され、接続部端子は挿入孔内に穿設され、中間通気孔は第一の係止溝と第二の係止溝とそれぞれに連通され、第一のソケットは第一の係止溝内に配置され、第二の取付溝は第二の係止溝に連通し、第一の係止溝内に進入された空気で第一の導電端子２２０及び接続部端子が放熱され、第二の係止溝内に進入された空気で第二の導電端子３２０及び接続部端子が放熱されるため、空気がコネクタの外部で熱交換を行うだけでなく、コネクタの内部でも熱交換を行うことができる。【選択図】図３
2020087915.tif 000002
【特許請求の範囲】
【請求項１】
コネクタであって、接続部、それぞれ前記接続部の両側に配置される第一のソケット及び第二のソケットを含み、
前記接続部は接続部本体及び接続部端子を含み、前記接続部本体が第一の係止溝及び第二の係止溝がそれぞれで設置され、さらに前記接続部本体が挿入孔及び中間通気孔が設置され、前記挿入孔は前記第一の係止溝と前記第二の係止溝とそれぞれに連通され、前記接続部端子は前記挿入孔内に穿設され、前記中間通気孔は前記第一の係止溝と前記第二の係止溝とそれぞれに連通され、
前記第一のソケットは第一のソケット本体及び第一の導電端子を含み、前記第一のソケット本体は前記第一の係止溝内に配置され、前記第一のソケット本体に第一の取付溝及び第一の通気孔が設置され、前記第一の取付溝及び前記第一の通気孔はいずれも前記第一の係止溝に連通し、前記第一の導電端子は前記第一の取付溝内に係止され、前記接続部端子の一端はさらに前記第一の取付溝内に配置されて前記第一の導電端子と摺動接続され、
前記第二のソケットは第二のソケット本体と第二の導電端子を含み、前記第二のソケット本体は前記第二の係止溝内に配置され、前記第二のソケット本体に第二の取付溝及び第二の通気孔が設置され、前記第二の取付溝及び前記第二の通気孔はいずれも前記第二の係止溝に連通し、前記第二の導電端子は前記第二の取付溝内に係止され、前記接続部端子の他端はさらに前記第二の取付溝内に配置されて前記第二の導電端子と摺動接続され、
前記接続部端子が前記第一の導電端子に対し摺動する方向は第一の方向とし、前記接続部端子が前記第二の導電端子に対し摺動する方向は第二の方向とし、前記接続部端子がさらに前記第二の導電端子に対し前記接続部本体の軸方向に摺動することができ、前記第一の方向及び前記第二の方向は互いに垂直であること、を特徴とするコネクタ。
【請求項２】
前記接続部端子の両端は、それぞれ前記第一の係止溝及び前記第二の係止溝内に配置される
ことを特徴とする請求項１に記載のコネクタ。
【請求項３】
前記接続部端子は、互いに電気的に接続される第一の端子ユニット及び第二の端子ユニットを含み、前記挿入孔は第一の挿入孔と第二の挿入孔を含み、前記第一の挿入孔は前記第一の係止溝及び前記第二の係止溝と連通し、前記第二の挿入孔は前記第一の係止溝及び前記第二の係止溝と連通し、前記第一の端子ユニットは前記第一の挿入孔内に穿設され、前記第二の端子ユニットは前記第二の挿入孔内に穿設され、
前記第一の導電端子の数は少なくとも二つであり、前記第一の取付溝の数は少なくとも二つであり、各前記第一の導電端子は対応する前記第一の取付溝内に配置され、前記第二の導電端子の数は少なくとも二つであり、前記第二の取付溝の数は少なくとも二つであり、各前記第二の導電端子は対応する前記第二の取付溝内に配置され、
各前記第一の端子ユニットの両端は、それぞれ前記第一の取付溝のいずれも一つ及び前記第二の取付溝のいずれも一つに配置され、それぞれに対応する前記第一の導電端子及び対応する前記第二の導電端子と摺動接続され、
各前記第二の端子ユニットの両端はそれぞれ他の前記第一の取付溝及び他の前記第二の取付溝内に配置され、かつ、それぞれに対応する前記第一の導電端子及び対応する前記第二の導電端子と摺動接続される
ことを特徴とする請求項１又は２に記載のコネクタ。
【請求項４】
前記第一の端子ユニットの一端は二つの前記第一の導電端子と摺動接続され、前記第一の端子ユニットの他端は二つの前記第二の導電端子と摺動接続され、前記第一の端子ユニット及び二つの前記第一の導電端子は前記第一の取付溝のいずれも一つに配置され、二つの前記第二の導電端子及び前記第二の端子ユニットは前記第二の取付溝のいずれも一つに配置される
ことを特徴とする請求項３に記載のコネクタ。
【請求項５】
前記第二の端子ユニットの一端は二つの前記第一の導電端子と摺動接続され、前記第二の端子ユニットの他端は二つの前記第二の導電端子と摺動接続され、前記第二の端子ユニット及び二つの前記第一の導電端子は前記第一の取付溝の他の一つに配置され、前記第二の端子ユニット及び二つの前記第二の導電端子は前記第二の取付溝の他の一つに配置される
ことを特徴とする請求項４に記載のコネクタ。
【請求項６】
前記第一の端子ユニットは前記第二の端子ユニットに当接される
ことを特徴とする請求項３に記載のコネクタ。
【請求項７】
前記第一の端子ユニットと前記第二の端子ユニットとの間に通気キャビティが形成され、前記通気キャビティはそれぞれ前記第一の係止溝及び前記第二の係止溝に連通される
ことを特徴とする請求項６に記載のコネクタ。
【請求項８】
前記第一の端子ユニットと前記第二の端子ユニットは一体的に成形される
ことを特徴とする請求項７に記載のコネクタ。
【請求項９】
前記第一の端子ユニットに第一の弾性シートが設けられ、前記第一の弾性シートが前記第一の挿入孔の内壁に当接され、前記第二の端子ユニットに第二の弾性シートが設置され、前記第二の弾性シートが前記第二の挿入孔の内壁に当接され
ことを特徴とする請求項３に記載のコネクタ。
【請求項１０】
前記第二のソケット本体にリミット台が設置され、前記接続部本体は、前記第二のソケット本体に隣接する端部に摺動溝が設けられ、前記リミット台は前記摺動溝内に配置されて前記接続部本体と摺動接続される
ことを特徴とする請求項１又は２に記載のコネクタ。
【発明の詳細な説明】
【技術分野】
【０００１】
本発明は、電気部品の技術分野に関し、特にコネクタに関する。
【背景技術】
【０００２】
コネクタというものは、電気機器に不可欠な部品である。コネクタの役割は、遮断された箇所又は二つの独自設置された回路の間に電気信号が導通される通路とし、電流又は信号の伝送を行う。従来のコネクタは許容度が良くないから、コネクタの利便性が高くない。また、当該コネクタの導電シートはベースに収容されたので、コネクタはハウジング又はハウジングの外側に露出する導電シートを介して外部と熱交換することしかできないため、コネクタの使用中に熱量がたくさん蓄積されてしまう問題が発生され、コネクタの耐用年数が短いという問題もある。
【発明の概要】
【０００３】
これに鑑みて、コネクタの利便性が高くないと、コネクタの寿命が長くないの問題を解決できるコネクタを提供する必要がある。
【０００４】
本願において、コネクタを提供し、当該コネクタが、接続部、それぞれ前記接続部の両側に配置される第一のソケット及び第二のソケットを含み、
前記接続部は接続部本体及び接続部端子を含み、前記接続部本体が第一の係止溝及び第二の係止溝がそれぞれで設置され、さらに前記接続部本体が挿入孔及び中間通気孔が設置され、前記挿入孔は前記第一の係止溝と前記第二の係止溝とそれぞれに連通され、前記接続部端子は前記挿入孔内に穿設され、前記中間通気孔は前記第一の係止溝と前記第二の係止溝とそれぞれに連通され、
前記第一のソケットは第一のソケット本体及び第一の導電端子を含み、前記第一のソケット本体は前記第一の係止溝内に配置され、前記第一のソケット本体に第一の取付溝及び第一の通気孔が設置され、前記第一の取付溝及び前記第一の通気孔はいずれも前記第一の係止溝に連通し、前記第一の導電端子は前記第一の取付溝内に係止され、前記接続部端子の一端はさらに前記第一の取付溝内に配置されて前記第一の導電端子と摺動接続され、
前記第二のソケットは第二のソケット本体と第二の導電端子を含み、前記第二のソケット本体は前記第二の係止溝内に配置され、前記第二のソケット本体に第二の取付溝及び第二の通気孔が設置され、前記第二の取付溝及び前記第二の通気孔はいずれも前記第二の係止溝に連通し、前記第二の導電端子は前記第二の取付溝内に係止され、前記接続部端子の他端はさらに前記第二の取付溝内に配置されて前記第二の導電端子と摺動接続され、
ここで、前記接続部端子が前記第一の導電端子に対し摺動する方向は第一の方向とし、前記接続部端子が前記第二の導電端子に対し摺動する方向は第二の方向とし、前記接続部端子がさらに前記第二の導電端子に対し前記接続部本体の軸方向に摺動することができ、前記第一の方向及び前記第二の方向は互いに垂直である。
【０００５】
上記コネクタにおいて、第一のソケット本体は第一の係止溝内に配置され、第二のソケット本体は第二の係止溝内に配置され、第一の導電端子は第一の取付溝内に係止されて接続部端子と摺動接続されるより、第一のソケット本体が第一の導電端子に対し摺動され、第二の導電端子は第二の取付溝内に係止されて接続部端子と摺動接続され、第二のソケット本体が第二の導電端子に対し摺動され、接続部本体の軸方向、第一の方向及び第二の方向が互いに垂直であるため、第一のソケット本体が接続部本体に対し摺動する方向と第二のソケット本体が接続部本体に対し摺動する方向は異なる方向になり、よってコネクタの多方向許容度が実現され、コネクタの許容度を向上させ、コネクタの利便性を向上させ、接続部本体に中間通気孔が設置され、第一のソケット本体に第一の係止溝に連通する第一の通気孔が設置され、第二のソケット本体に第二の係止溝に連通する第二の通気孔が設置されとともに、中間通気孔が第一の係止溝及び第二の係止溝にそれぞれ連通するため、第一の通気孔及び第二の通気孔に連通し、よって第一の通気孔は中間通気孔を介して第二の通気孔と連通し、コネクタの外部の空気は第一の通気孔から第一の係止溝内に入り、中間通気孔、第二の係止溝、第二の通気孔から排出されることができ、コネクタ内の空気流通が実現され、挿入孔は第一の係止溝及び第二の係止溝にそれぞれ連通し、第一の取付溝は第一の係止溝に連通し、第二の取付溝は第二の係止溝に連通するため、第一の係止溝内に進入された空気で第一の導電端子及び接続部端子が放熱され、第二の係止溝内に進入された空気で第二の導電端子及び接続部端子が放熱されるため、空気がコネクタの外部で熱交換を行うだけでなく、コネクタの内部でも熱交換を行うことができ、また、コネクタの外部の空気は第二の通気孔から第二の係止溝内に進入されて中間通気孔、第一の係止溝、第一の通気孔から排出されることもできるため、同様に、第一の係止溝内に進入された空気で第一の導電端子及び接続部端子が放熱され、第二の係止溝内に進入された空気で第二の導電端子及び接続部端子が放熱され、空気がコネクタの外部で熱交換を行うだけでなく、コネクタの内部でも熱交換を行うことができ、上記コネクタは優れた許容度を有するだけでなく、良好な放熱効果も有する。
【０００６】
一実施例において、前記接続部端子の両端は、それぞれ前記第一の係止溝及び前記第二の係止溝内に配置され、それぞれ第一の導電端子及び第二の導電端子に円滑に摺動接続され、また、接続部端子の両端はそれぞれ第一係止溝及び第二係止溝内に配置されるため、第一導電端子は短い長さで接続部端子と摺動接続され、第二導電端子は短い長さで接続部端子と摺動接続されることができる。
【０００７】
一実施例において、前記接続部端子は、互いに電気的に接続される第一の端子ユニット及び第二の端子ユニットを含み、前記挿入孔は第一の挿入孔と第二の挿入孔を含み、前記第一の挿入孔は前記第一の係止溝及び前記第二の係止溝と連通し、前記第二の挿入孔は前記第一の係止溝及び前記第二の係止溝と連通し、前記第一の端子ユニットは前記第一の挿入孔内に穿設され、前記第二の端子ユニットは前記第二の挿入孔内に穿設され、
前記第一の導電端子の数は少なくとも二つであり、前記第一の取付溝の数は少なくとも二つであり、各前記第一の導電端子は対応する前記第一の取付溝内に配置され、前記第二の導電端子の数は少なくとも二つであり、前記第二の取付溝の数は少なくとも二つであり、各前記第二の導電端子は対応する前記第二の取付溝内に配置され、
各前記第一の端子ユニットの両端は、それぞれ前記第一の取付溝のいずれも一つ及び前記第二の取付溝のいずれも一つに配置され、それぞれに対応する前記第一の導電端子及び対応する前記第二の導電端子と摺動接続され、
各前記第二の端子ユニットの両端はそれぞれ他の前記第一の取付溝及び他の前記第二の取付溝内に配置され、かつ、それぞれに対応する前記第一の導電端子及び対応する前記第二の導電端子と摺動接続され、第一の端子ユニットと第二の端子ユニットが電気的に接続されとともに、第一の端子ユニットの両端がそれぞれ第一の導電端子及び第二の導電端子と摺動接続され、第二の端子ユニットの両端がそれぞれ第一の導電端子及び第二の導電端子と摺動接続されることにより、接続部端子の両端は同時に二つの第一の導電端子及び二つの第二の導電端子と摺動接続される。
【０００８】
一実施例において、前記第一の端子ユニットの一端は二つの前記第一の導電端子と摺動接続され、前記第一の端子ユニットの他端は二つの前記第二の導電端子と摺動接続され、前記第一の端子ユニット及び二つの前記第一の導電端子は前記第一の取付溝のいずれも一つに配置され、二つの前記第二の導電端子及び前記第二の端子ユニットは前記第二の取付溝のいずれも一つに配置されることにより、第一の端子ユニットの両端はそれぞれ第一の導電端子及び第二の導電端子と円滑に摺動接続される。
【０００９】
一実施例において、前記第二の端子ユニットの一端は二つの前記第一の導電端子と摺動接続され、前記第二の端子ユニットの他端は二つの前記第二の導電端子と摺動接続され、前記第二の端子ユニット及び二つの前記第一の導電端子は前記第一の取付溝の他の一つに配置され、前記第二の端子ユニット及び二つの前記第二の導電端子は前記第二の取付溝の他の一つに配置されることにより、第二の端子ユニットの両端はそれぞれ第一の導電端子及び第二の導電端子と円滑に摺動接続される。
【００１０】
一実施例において、前記第一の端子ユニットは前記第二の端子ユニットに当接することにより、第一の端子ユニットは第二の端子ユニットと電気的に接続される。
【００１１】
一実施例において、前記第一の端子ユニットと前記第二の端子ユニットとの間に通気キャビティが形成され、前記通気キャビティはそれぞれ前記第一の係止溝及び前記第二の係止溝に連通し、第一の通気孔内に流れた空気は通気キャビティを介して第二の通気孔に流入することか、第二の通気孔内に流れた空気は通気キャビティを介して第一の通気孔に流入することができ、よってコネクタの内部に流れた空気は中間通気孔だけでなく通気キャビティを介して放熱させることもでき、コネクタ内の空気流通速度を向上させ、コネクタの放熱性能を向上させる。
【００１２】
一実施例において、前記第一の端子ユニットと前記第二の端子ユニットは一体的に成形され、よって接続部端子の構造がコンパクトで製造難度が低い。
【００１３】
一実施例において、前記第一の端子ユニットに第一の弾性シートが設けられ、前記第一の弾性シートが前記第一の挿入孔の内壁に当接することにより、第一の端子ユニットが第一の挿入孔内に強固に挿着され、前記第二の端子ユニットに第二の弾性シートが設置され、前記第二の弾性シートが前記第二の挿入孔の内壁に当接することにより、第二の端子ユニットが第二の挿入孔内に強固に挿着され、よって第一の端子ユニット及び第二の端子ユニットが強固に取り付けられる。
【００１４】
一実施例において、前記第二のソケット本体にリミット台が設置され、前記接続部本体は、前記第二のソケット本体に隣接する端部に摺動溝が設けられ、前記リミット台は前記摺動溝内に配置されて前記接続部本体と摺動接続され、案内作用を果たし、よって接続部本体を第二の導電端子に対し接続部本体の軸方向に沿ってより円滑に摺動させる。
【図面の簡単な説明】
【００１５】
【図１】一実施例のコネクタの概略図である。
【図２】図１に示すコネクタの分解図である。
【図３】図２に示すコネクタの分解図である。
【図４】図１に示すコネクタの断面図である。
【図５】図１に示すコネクタの第一のソケットの分解図である。
【図６】図５に示す第一のソケットの第一のソケット本体の断面図である。
【図７】図１に示すコネクタの第二のソケットの分解図である。
【図８】図１に示すコネクタの接続部の接続部端子の概略図である。
【図９】他の実施例のコネクタの概略図である。
【図１０】もう一つの実施例のコネクタの概略図である。
【図１１】図１０に示すコネクタの分解図である。
【図１２】図１０に示すコネクタの接続部端子の概略図である。
【図１３】図１０に示すコネクタの接続部端子の放熱シミュレーション概略図である。
【図１４】図１０に示すコネクタの他の分解図である。
【図１５】異なる寸法のコネクタが回路基板に取付される状態を示す概略図である。
【発明を実施するための形態】
【００１６】
本発明の理解を容易にするために、次に、図面を参照しながら、コネクタについてより詳しく説明する。図面には、コネクタの最適な実施例が示されている。しかし、コネクタは様々な形で実現でき、ここで記述される実施例に限らない。逆に、これらの実施例を挙げる目的は、コネクタの開示をより徹底的かつ完全にすることにある。
【００１７】
本明細書において、ある要素が他の要素に「固定」されるように記載する場合、この要素が前記他の要素に直接で固定され、或いは、中間要素を介して固定されていることを意味する。また、ある要素が他の要素に「接続」されているように記載する場合、この要素が前記他の要素に直接で接続され、或いは、中間要素を介して接続されていることを意味する。また、本明細書で使用する「垂直」、「水平」、「左」、「右」などの用語及び類似する表現は説明のためのものに過ぎず、唯一な実施形態を意味するものではない。
【００１８】
特段に定義されない限り、ここで使用される全ての技術用語と科学用語の意味は、本発明の技術分野の当業者に一般的に理解されている意味とする。コネクタに関して明細書において使用される用語は、具体的な実施例を説明するためのものにすぎず、本発明を限定するものではない。また、本明細書における「及び／または」は、挙げられた一または複数の関連項目の任意及び全ての組合せを含む意味とする。
【００１９】
一実施例において、コネクタは接続部、それぞれ前記接続部の両側に配置される第一のソケット及び第二のソケットを含み、前記接続部は接続部本体及び接続部端子を含み、前記接続部本体に第一の係止溝及び第二の係止溝が設置され、記接続部本体にはさらに挿入孔及び中間通気孔が設置され、前記挿入孔は前記第一の係止溝及び前記第二の係止溝にそれぞれ連通し、前記接続部端子は前記挿入孔内に穿設され、前記中間通気孔は前記第一の係止溝及び前記第二の係止溝にそれぞれ連通し、前記第一のソケットは第一のソケット本体及び第一の導電端子を含み、前記第一のソケット本体は前記第一の係止溝内に配置され、前記第一のソケット本体に第一の取付溝及び第一の通気孔が設置され、前記第一の取付溝及び前記第一の通気孔はいずれも前記第一の係止溝に連通し、前記第一の導電端子は前記第一の取付溝内に係止され、前記接続部端子の一端は前記第一の取付溝内に配置されかつ前記第一の導電端子と摺動接続され、前記第二のソケットは第二のソケット本体と第二の導電端子を含み、前記第二のソケット本体は前記第二の係止溝内に配置され、前記第二のソケット本体に第二の取付溝及び第二の通気孔が設置され、前記第二の取付溝及び前記第二の通気孔はいずれも前記第二の係止溝に連通し、前記第二の導電端子は前記第二の取付溝内に係止され、前記接続部端子の他端は前記第二の取付溝内に配置されかつ前記第二の導電端子と摺動接続され、ここで、前記接続部端子が前記第一の導電端子に対し摺動する方向が第一の方向であり、前記接続部端子が前記第二の導電端子に対し摺動する方向が第二の方向であり、前記接続部端子がさらに前記第二の導電端子に対して前記接続部本体の軸方向に摺動可能であり、前記第一の方向及び前記第二の方向は互いに垂直である。
【００２０】
図１に示すように、一実施例のコネクタ１０は接続部１００ 、それぞれ前記接続部の両側に配置される第一のソケット２００及び第二のソケット３００を含む。
【００２１】
図２と図３に示すように、一実施例において、前記接続部１００は接続部本体１１０及び接続部端子１２０を含む。図４に示すように、前記接続部本体１１０にそれぞれ第一の係止溝１１１及び第二の係止溝１１２が設置される。本実施例において、接続部本体は直方体状である。第一の係止溝及び第二の係止溝はそれぞれ接続部本体の両端に設置され、他の実施例において、第一の係止溝及び第二の係止溝はそれぞれ接続部本体の両側又は他の位置に設置されてもよい。また、前記接続部本体１１０に挿着孔１１３及び中間通気孔１１４が設置される。前記挿入孔１１３は前記第一の係止溝１１１と前記第二の係止溝１１２にそれぞれ連通し、前記接続部端子１２０は前記挿入孔１１３内に挿入される。前記中間通気孔１１４は前記第一の係止溝１１１及び前記第二の係止溝１１２にそれぞれ連通する。本実施例において、第一の係止溝及び第二の係止溝はそれぞれ接続部本体の両端に設置され、挿着孔及び中間通気孔はいずれも接続部本体の軸方向に接続部本体を貫通する。このように、中間通気孔は第一の係止溝及び第二の係止溝にそれぞれ連通し、挿着孔は第一の係止溝及び第二の係止溝にそれぞれ連通する。
【００２２】
図４及び図５に示すように、一実施例において、前記第一のソケット２００は第一のソケット本体２１０及び第一の導電端子２２０を含む。前記第一のソケット本体２１０は前記第一の係止溝１１１内に設置される。本実施例において、第一のソケットは第一の係止溝内に設置される。第一のソケット本体は、接続部本体と隙間嵌めであり、接続部本体に対して移動可能である。前記第一のソケット本体２１０に、前記第一の係止溝１１１に連通する第一の取付溝２１１及び第一の通気孔２１２が設置される。前記第一の導電端子２２０は前記第一の取付溝２１１内に係止される。また、前記接続部端子１２０の一端は前記第一の取付溝２１１内に配置され、前記第一の導電端子２２０と摺動接続される。図６に示すように、一実施例において、第一の導電端子２２０に第一の係止口２２２が設置され、第一の取付溝２１１の内壁に第一の係止口に応じた第一の係止台２１３が設けられ、第一の導電端子が第一の取付溝内に係止される。
【００２３】
図４及び図７に示すように、一実施例において、前記第二のソケット３００は第二のソケット本体３１０及び第二の導電端子３２０を含む。前記第二のソケット本体３１０は前記第二の係止溝１１２内に設置される。本実施例において、第二のソケットは第二の係止溝内に設置される。第二のソケット本体は、接続部本体と隙間嵌めであり、接続部本体に対して移動可能である。前記第二のソケット本体３１０に、前記第二の係止溝に連通する第二の取付溝３１１及び第二の通気孔３１２が設置される。前記第二の導電端子３２０は前記第二の取付溝３１１内に係止される。また、前記接続部端子１２０の他端は前記第二の取付溝３１１内に配置され、前記第二の導電端子３２０と摺動接続される。一実施例において、第二の導電端子に第二の係止口３２２が設置され、第二の取付溝の内壁に第二の係止口に応じた第二の係止台が設けられ、第二の導電端子が第二の取付溝内に係止される。
【００２４】
ここで、前記接続部端子の前記第一の導電端子に対し摺動する方向は第一の方向であり、前記接続部端子の前記第二の導電端子に対し摺動する方向は第二の方向である。さらに、前記接続部端子は前記第二の導電端子に対して前記接続部本体の軸方向に沿って摺動する。前記接続部本体の軸方向、前記第一の方向及び前記第二の方向は互いに垂直である。本実施例において、接続部端子の第二の導電端子に対し摺動する方向は第二の方向及び接続部本体の軸方向であり、第二の方向は接続部本体の軸方向と互いに垂直である。第一の方向は接続部本体の端面の一辺と平行であり、第二の方向は接続部本体の端面の他の辺と平行であり、第一の方向と第二の方向とは互いに垂直である。図３に示すように、第一の方向はＸ方向であり、第二の方向はＹ方向であり、接続部本体の軸方向はＺ方向である。
【００２５】
上記コネクタでは、第一のソケット本体は第一の係止溝内に配置され、第二のソケット本体は第二の係止溝内に配置される。第一の導電端子は第一の取付溝内に係止され、接続部端子と摺動接続され、第一のソケット本体が第一の導電端子に対して摺動可能である。第二の導電端子は第二の取付溝内に係止され、接続部端子と摺動接続され、第二のソケット本体が第二の導電端子に対して摺動可能である。接続部本体の軸方向、第一の方向及び第二の方向が互いに垂直であるため、第一のソケット本体の接続部本体に対し摺動する方向と第二のソケット本体の接続部本体に対し摺動する方向は異なり、コネクタの多方向許容度が実現でき、コネクタの許容度を向上させ、コネクタの利便性を向上させる。接続部本体に中間通気孔が設置され、第一のソケット本体に第一の係止溝に連通する第一の通気孔が設置され、第二のソケット本体に第二の係止溝に連通する第二の通気孔が設置されるため、かつ、中間通気孔が第一の係止溝及び第二の係止溝にそれぞれ連通することにより第一の通気孔及び第二の通気孔に連通するため、第一の通気孔は中間通気孔を介して第二の通気孔と連通する。
【００２６】
コネクタの外部の空気は第一の通気孔から第一の係止溝内に入り、中間通気孔、第二の係止溝、第二の通気孔から排出されることができ、コネクタ内の空気流通が実現される。挿入孔は第一の係止溝及び第二の係止溝にそれぞれ連通し、第一の取付溝は第一の係止溝に連通し、第二の取付溝は第二の係止溝に連通するため、第一の係止溝内に進入された空気により第一の導電端子及び接続部端子が放熱され、第二の係止溝内に進入された空気により第二の導電端子及び接続部端子が放熱され、空気がコネクタの外部で熱交換を行うだけでなく、コネクタの内部でも熱交換を行うことができる。また、コネクタの外部の空気は第二の通気孔から第二の係止溝内に入り、中間通気孔、第一の係止溝、第一の通気孔から排出されることもできるため、同様に、第一の係止溝内に進入された空気により第一の導電端子及び接続部端子が放熱され、第二の係止溝内に進入された空気により第二の導電端子及び接続部端子が放熱され、空気がコネクタの外部で熱交換を行うだけでなく、コネクタの内部でも熱交換を行うことができる。上記コネクタは優れた許容度を有するだけでなく、良好な放熱効果も有する。
【００２７】
一実施例において、前記接続部端子は前記第一の導電端子に対する第一の方向における摺動変位が−０．５ｍｍ〜＋０．５ｍｍであり、よって、接続部端子と第一のソケット本体との間に第一の方向に＋／−０．５ｍｍの偏差が許容される。即ち、接続部端子と第一のソケット本体との間に第一の方向に＋／−０．５ｍｍの許容差を実現する。
【００２８】
即ち、接続部端子と第二のソケット本体との間に第二の方向に＋／−０．５ｍｍの許容差を実現する。
【００２９】
一実施例において、前記接続部端子は前記第二の導電端子に対して前記接続部本体の軸方向における摺動変位が−１．２ｍｍ〜＋１．２ｍｍであり、接続部端子と第二の導電端子との間に接続部本体の軸方向に＋／−１．２ｍｍの偏差が許容される。即ち、接続部端子と第二のソケット本体との間に接続部本体の軸方向に＋／−１．２ｍｍの許容差を実現する。
【００３０】
図４に示すように、一実施例において、前記接続部端子１２０の両端は、それぞれ前記第一の係止溝１１１及び前記第二の係止溝１１２内に配置され、それぞれ第一の導電端子及び第二の導電端子に円滑に摺動接続される。
【００３１】
図８に示すように、一実施例において、前記接続部端子１２０は、互いに電気的に接続される第一の端子ユニット１２１及び第二の端子ユニット１２２を含む。図４に示すように、前記挿入孔１１３は第一の挿入孔１１３１と第二の挿入孔１１３２を含み、前記第一の挿入孔は前記第一の係止溝１１１及び前記第二の係止溝１１２と連通し、前記第二の挿入孔は前記第一の係止溝及び前記第二の係止溝と連通する。前記第一の端子ユニットは前記第一の挿入孔内に穿設され、前記第二の端子ユニットは前記第二の挿入孔内に穿設される。
【００３２】
一実施例において、前記第一の導電端子の数は少なくとも二つである。前記第一の取付溝の数は少なくとも二つであり、各前記第一の導電端子は対応する前記第一の取付溝内に配置される。前記第二の導電端子の数は少なくとも二つである。前記第二の取付溝の数は少なくとも二つであり、各前記第二の導電端子は対応する前記第二の取付溝内に配置される。
【００３３】
一実施例において、各前記第一の端子ユニットの両端は、それぞれ一つの前記第一の取付溝及び一つの前記第二の取付溝内に配置され、かつ、それぞれ対応する前記第一の導電端子及び対応する前記第二の導電端子と摺動接続される。各前記第二の端子ユニットの両端はそれぞれ他の前記第一の取付溝及び他の前記第二の取付溝内に配置され、かつ、それぞれ対応する前記第一の導電端子及び対応する前記第二の導電端子と摺動接続される。第一の端子ユニットと第二の端子ユニットが電気的に接続され、第一の端子ユニットの両端がそれぞれ第一の導電端子及び第二の導電端子と摺動接続され、第二の端子ユニットの両端がそれぞれ第一の導電端子及び第二の導電端子と摺動接続されることにより、接続部端子の両端は同時に二つの第一の導電端子及び二つの第二の導電端子と摺動接続される。
【００３４】
一実施例において、前記第一の端子ユニットの一端は二つの前記第一の導電端子と摺動接続され、前記第一の端子ユニットの他端は二つの前記第二の導電端子と摺動接続される。前記第一の端子ユニット及び二つの前記第一の導電端子はいずれも一つの前記第一の取付溝内に配置され、二つの前記第二の導電端子及び前記第二の端子ユニットはいずれも一つの前記第二の取付溝内に配置されることにより、第一の端子ユニットの両端はそれぞれ第一の導電端子及び第二の導電端子と円滑に摺動接続される。
【００３５】
本実施例において、同じ第一の取付溝内に配置される二つの第一の導電端子はそれぞれ第一の端子ユニットの両側に当接し、第一の端子ユニットを両側から挟む。一実施例において、同じ第一の取付溝内に配置される二つの第一の導電端子はそれぞれ第一の端子ユニットの両側に弾性的に当接し、第一の端子ユニットを両側からよりよく挟む。同じ第二の取付溝内に配置される二つの第二の導電端子はそれぞれ第二の端子ユニットの両側に当接し、第二の端子ユニットを両側から挟む。一実施例において、同じ第二の取付溝内に配置される二つの第二の導電端子はそれぞれ第二の端子ユニットの両側に弾性的に当接し、第二の端子ユニットを両側からよりよく挟む。
【００３６】
一実施例において、前記第二の端子ユニットの一端は二つの前記第一の導電端子と摺動接続され、前記第二の端子ユニットの他端は二つの前記第二の導電端子と摺動接続される。前記第二の端子ユニット及び二つの前記第一の導電端子はいずれも他の前記第一の取付溝内に配置され、前記第二の端子ユニット及び二つの前記第二の導電端子はいずれも他の前記第二の取付溝内に配置されることにより、第二の端子ユニットの両端はそれぞれ第一の導電端子及び第二の導電端子と円滑に摺動接続される。
【００３７】
本実施例において、同じ第一の取付溝内に配置される二つの第一の導電端子はそれぞれ第一の端子ユニットの両側に当接し、第一の端子ユニットを両側から挟む。一実施例において、同じ第一の取付溝内に配置される二つの第一の導電端子はそれぞれ第一の端子ユニットの両側に弾性的に当接し、第一の端子ユニットを両側からよりよく挟む。同じ第二の取付溝内に配置される二つの第二の導電端子はそれぞれ第二の端子ユニットの両側に当接し、第二の端子ユニットを両側から挟む。一実施例において、同じ第二の取付溝内に配置される二つの第二の導電端子はそれぞれ第二の端子ユニットの両側に弾性的に当接し、第二の端子ユニットを両側からよりよく挟む。
【００３８】
図４及び図５に示すように、一実施例において、それぞれ前記第二の端子ユニット１２２と摺動接続される二つの前記第一の導電端子２２０は互いに近接する方向に屈曲され、第二の端子ユニットに確実に当接する。なお、図７に示すように、それぞれ前記第二の端子ユニット１２２と摺動接続される二つの前記第二の導電端子３２０は互いに近接する方向に屈曲され、第二の端子ユニットに確実に当接する。本実施例において、同じ第一の取付溝内に配置される二つの第一の導電端子はそれぞれ第二の端子ユニットの両側に当接し、同じ第二の取付溝内に配置される二つの第二の導電端子はそれぞれ第二の端子ユニットの両側に当接する。
【００３９】
図５に示すように、一実施例において、各第一の導電端子２２０は互いに接続される第一の本体部２２３及び第一の屈曲部２２４を含む。第一の屈曲部２２４に第一のキャビティ２２５が形成され、それぞれ前記第二の端子ユニットに摺動接続される二つの前記第一の導電端子が互いに近接する方向に屈曲されるため、各第一の導電端子の第一のキャビティは第一の屈曲部２２４の第二の端子ユニット１２２から反対側に位置する。図７に示すように、一実施例において、各第二の導電端子３２０は互いに接続される第二の本体部３２３及び第二の屈曲部３２４を含み、第二の屈曲部３２４に第二のキャビティ３２５が形成される。それぞれ前記第二の端子ユニットに摺動接続される二つの前記第二の導電端子は互いに近接する方向に屈曲されるため、各第二の導電端子の第二のキャビティ３２５は第二の端子ユニット１２２から反対側に位置する。
【００４０】
他の実施例において、それぞれ前記第二の端子ユニットと摺動接続される二つの前記第一の導電端子は互いに反対する方向に屈曲され、それぞれ第二の端子ユニットの両側に当接するように構成され、かつ、前記第二の端子ユニットにそれぞれ摺動接続される二つの前記第二の導電端子は互いに反対する方向に屈曲され、それぞれ第二の端子ユニットの両側に当接するように構成されてもよい。本実施例において、各第一の導電端子の第一のキャビティは第二の端子ユニットに隣接する側に配置され、各第二の導電端子の第二のキャビティは第二の端子ユニットに隣接する側に配置される。
【００４１】
一実施例において、それぞれ前記第一の端子ユニットに摺動接続される二つの前記第一の導電端子は互いに近接する方向に屈曲され、第一の端子ユニットに確実に当接するように構成され、かつ、それぞれ前記第一の端子ユニットに摺動接続される二つの前記第二の導電端子は互いに近接する方向に屈曲され、第一の端子ユニットに確実に当接する。本実施例において、同じ第一の取付溝内に配置される二つの第一の導電端子はそれぞれ第一の端子ユニットの両側に当接し、同じ第二の取付溝内に配置される二つの第二の導電端子はそれぞれ第一の端子ユニットの両側に当接する。それぞれ前記第一の端子ユニットと摺動接続される二つの前記第一の導電端子は互いに近接する方向に屈曲されるため、各第一の導電端子の第一のキャビティは第一の端子ユニットから反対側に位置する。同様に、それぞれ前記第一の端子ユニットと摺動接続される二つの前記第二の導電端子は互いに近接する方向に屈曲されるため、各第二の導電端子の第二のキャビティは第一の端子ユニットから反対側に位置する。
【００４２】
他の実施例において、それぞれ前記第一の端子ユニットと摺動接続される二つの前記第一の導電端子は互いに反対方向に屈曲され、それぞれ第一の端子ユニットの両側に当接するように構成され、かつ、前記第一の端子ユニットと摺動接続される二つの前記第二の導電端子は互いに反対方向に屈曲され、それぞれ第一の端子ユニットの両側に当接するように構成されてもよい。本実施例において、各第一の導電端子の第一のキャビティは第一の端子ユニットに隣接する側に位置し、各第二の導電端子の第二のキャビティは第一の端子ユニットに隣接する側に位置する。
【００４３】
図４及び図８に示すように、一実施例において、前記第一の端子ユニット１２１は前記第二の端子ユニット１２２に当接し、よって、第一の端子ユニットは第二の端子ユニットと電気的に接続される。本実施例において、第一の端子ユニット及び第二の端子ユニットはいずれも屈曲状構造である。第一の端子ユニットの両端が所在する平面は互いに垂直であるため、第一の端子ユニットの両端はそれぞれ二つの異なる平面上の第一の導電端子と第二の導電端子と摺動接続される。第二の端子ユニットの両端が所在する平面は互いに垂直であるため、第二の端子ユニットの両端はそれぞれ二つの異なる平面上の第一の導電端子と第二の導電端子と摺動接続される。具体的には、第一の端子ユニットの第一の端が所在する平面と第二の端子ユニットの第一の端が所在する平面とは互いに平行であり、第一の端子ユニットの第二の端が所在する平面と第二の端子ユニットの第二の端が所在する平面とは互いに平行である。第一の挿入孔は第二の挿入孔に連通する。
【００４４】
図９に示すように、一実施例において、接続部本体１１０に第三の通気孔１１６がさらに設置され、第三の通気孔１１６は第一の端子ユニット１２１と第二の端子ユニット１２２との間に配置される。第三の通気孔は第一の係止溝と第二の係止溝１１２にそれぞれ連通し、空気が第一の係止溝から第三の通気孔を通って第二の係止溝内に流れ、或いは、第二の係止溝から第三の通気孔を通って第一の係止溝内に流れることができる。このように、空気が中間通気孔だけでなく第三の通気孔によりも放熱でき、コネクタの放熱速度を向上させる。なお、第一のソケット本体２１０に第三の通気孔に連通する第四の通気孔（図９において接続部本体に遮られる）が設置され、第二のソケット本体３１０に第三の通気孔に連通する第五の通気孔３１６が設置される。このように、外部の空気は順に第四の通気孔、第三の通気孔及び第五の通気孔を流れることができ、コネクタの放熱速度をよりよく向上させる。
【００４５】
一実施例において、第一の端子ユニットに係止突部が設けられ、第二の端子ユニットに凹部が設けられ、係止突部が凹溝内に係止されることにより、第一の端子ユニットと第二の端子ユニットがスナップ接続され、第一の端子ユニットと第二の端子ユニットとの間の迅速着脱を実現できる。理解できるように、他の実施例において、第一の端子ユニットは第二の端子ユニットに溶接されて堅固に接続されてもよい。
【００４６】
図１０〜図１２に示すように、一実施例において、前記第一の端子ユニット１２１と前記第二の端子ユニット１２２との間に通気キャビティ１２３が形成される。前記通気キャビティ１２３はそれぞれ前記第一の係止溝１１１及び前記第二の係止溝１１２に連通し、第一の通気孔内に流れた空気は通気キャビティを介して第二の通気孔に流入することもでき、或いは、第二の通気孔内に流れた空気は通気キャビティを介して第一の通気孔に流入することもできるため、コネクタの内部に流れた空気は中間通気孔だけでなく通気キャビティを介して放熱させることもでき、コネクタ内の空気流通速度を向上させ、コネクタの放熱性能を向上させる。図１３はコネクタの接続部端子の放熱シミュレーション概略図である。図１３に示すように、シミュレーションテストにおいて、接続部端子内に通気キャビティが形成されているため、コネクタ全体を６〜１０℃温度降下させることができる。コネクタ内の多くの熱量は接続部端子内の通気キャビティを流れる空気により外部へ放出され、通気キャビティがコネクタ内の主な放熱手段となるため、コネクタはより優れた放熱効果を有する。このように、接続部端子は通気放熱効果を強化できるだけでなく、即ち、熱量は接続部端子の内部の通気キャビティから排出される以外に接続部端子の外側から排出されることができ、かつ、摺動許容度を実現することもできる。本実施例において、第一の端子ユニットと第二の端子ユニットによって通気キャビティを有するスリーブ構造が形成される。第一の挿入孔と第二の挿入孔は連通してスリーブ構造に適合する貫通孔を形成する。具体的には、本実施例において、スリーブ構造は矩形スリーブ構造である。接続部端子を環状の矩形体状構造に形成することにより、コネクタの放熱効果を向上させることができるだけでなく、ＸＹ軸方向における直交許容差を実現することもできる。他の実施例において、スリーブ構造の形状を実際の需要に応じて調整し変更することができる。
【００４７】
図１２及び図１４に示すように、一実施例において、前記第一の端子ユニット１２１と前記第二の端子ユニット１２２は一体的に成形され、接続部端子の構造がコンパクトで製造難度が低い。本実施例において、第一の端子ユニットと第二の端子ユニットは屈曲工程により一体的に成形され、接続部端子の製造コストが低い。
【００４８】
図１２に示すように、一実施例において、前記第一の端子ユニット１２１に第一の弾性シート１２４が設けられ、前記第一の弾性シートが前記第一の挿入孔の内壁に当接することにより、第一の端子ユニットが第一の挿入孔内に強固に挿着することができる。前記第二の端子ユニット１２２に第二の弾性シート１２５が設置され、前記第二の弾性シートが前記第二の挿入孔の内壁に当接することにより、第二の端子ユニットが第二の挿入孔内に強固に挿着することができる。このように、第一の端子ユニット及び第二の端子ユニットが強固に取り付けられる。
【００４９】
図９に示すように、一実施例において、前記第二のソケット本体３１０にリミット台３１５が設置され、前記接続部本体１１０の前記第二のソケット本体３１０に隣接する端部に摺動溝１１５が設けられる。前記リミット台は前記摺動溝内に配置され、前記接続部本体と摺動接続され、案内作用を果たすことにより、接続部本体を第二の導電端子に対して接続部本体の軸方向に沿ってより円滑に摺動させる。
【００５０】
一実施例において、前記挿入孔は前記接続部本体の軸方向に沿って設置される。本実施例において、第一の挿入孔及び第二の挿入孔はいずれも接続部本体の軸方向に沿って設置され、第一の端子ユニットと第二の端子ユニットはいずれも接続部本体の軸方向に沿って取り付けられる。
【００５１】
理解できるように、第一のソケットと第二のソケットとの間の距離に応じて接続部の軸方向の長さを調整することができる。本実施例において、第一のソケットと第二のソケットのそれぞれは、一つの回路基板に接続される。図１５に示すように、二つの回路基板２０の間の距離に応じて接続部１００の軸方向の長さを調整することができる。図１５ではそのうちの一つの回路基板のみが示される。第一のソケット２００と第二のソケット３００との間の距離に応じて、接続部の軸方向の長さを調整する。図１５に示す接続部の軸方向の長さはそれぞれ１５ｍｍ 、２０．１ｍｍ 、２５ｍｍ 、２８．５ｍｍ 、３０ｍｍ 、３８．５ｍｍ及び６０ｍｍなどである。
【００５２】
異なる仕様の使用需要を満たすために、コネクタの横方向又は縦方向のチャンネル数を拡張することができる。コネクタを、図２に示す１*２Ｐｉｎから、１*４Ｐｉｎ、図１４に示す２*２Ｐｉｎ、図１１に示す２*３Ｐｉｎ及び２*４Ｐｉｎ等に拡張することができる。
【００５３】
図１４に示すように、コネクタの組み立てを容易にするとともに、コネクタのチャンネル数を拡張するために、一実施例において、接続部１００は少なくとも二つの接続部ユニット１００ａを含み、各接続部ユニットは接続部本体ユニット１１０ａ及び接続部端子ユニット１２０ａを含み、隣接する二つの接続部ユニットは、接続部本体ユニットが互いに摺動接続されることにより摺動接合される。本実施例において、隣接する二つの接続部ユニットの接続部本体ユニットは挿入台及び挿入スロットにより摺動可能に嵌合されることにより摺動接続される。具体的には、隣接する二つの接続部ユニットの接続部本体ユニットのうち、一つの接続部ユニットの接続部本体ユニット１２０ａに第一の挿入台１２１ａが設けられ、他の接続部ユニットの接続部本体ユニットに第一の挿入台に対応する第一の挿入スロット１２２aが設けられ、隣接する二つの接続部ユニットの接続部本体ユニットは第一の挿入台及び第一の挿入スロットにより摺動可能に嵌合される。
【００５４】
第一のソケット２００は少なくとも二つの第一のソケットユニット２００ａを含み、各第一のソケットユニット２００ａは第一のソケット本体ユニット２１０ａ及び第一の導電端子ユニット２２０ａを含み、隣接する二つの第一のソケットユニットは、第一のソケット本体ユニットが互いに摺動接続されることにより摺動接合される。各第一のソケットユニットの第一の導電端子ユニットは対応する接続部ユニットの接続部端子ユニットに摺動接続される。本実施例において、隣接する二つの第一のソケットユニットの第一のソケット本体ユニットは挿入台及び挿入スロットにより摺動可能に嵌合されて摺動接続される。具体的には、隣接する二つの第一のソケットユニットの第一のソケット本体ユニットのうち、一つの第一のソケットユニットの第一のソケット本体ユニット２１０ａに第二の挿入台２１１ａが設置され、他の第一のソケットユニットの第一のソケット本体ユニットに第二の挿入台に対応する第二の挿入スロット２１２aが設置され、隣接する二つの第一のソケットユニットの第一のソケット本体ユニットは挿入台及び挿入スロットにより摺動可能に嵌合される。
【００５５】
第二のソケット３００は少なくとも二つの第二のソケットユニット３００ａを含み、各第二のソケットユニットは第二のソケット本体ユニット３１０ａ及び第二の導電端子ユニット３２０ａを含み、隣接する二つの第二のソケットユニットは、第二のソケット本体ユニットが互いに摺動接続されることにより摺動接合される。各第二のソケットユニットの第二の導電端子ユニットは対応する接続部ユニットの接続部端子ユニットに摺動接続される。本実施例において、隣接する二つの第二のソケットユニットの第二のソケット本体ユニットは挿入台及び挿入スロットにより摺動可能に嵌合されて摺動接続される。具体的には、隣接する二つの第二のソケットユニットの第二のソケット本体ユニットのうち、一つの第二のソケットユニットの第二のソケット本体ユニット３１０ａに第三の挿入台３１１ａが設置され、他の第二のソケットユニットの第二のソケット本体ユニット３１０ａに第三の挿入台に対応する第三の挿入スロット３１２aが設置され、隣接する二つの第二のソケットユニットの第二のソケット本体ユニットは挿入台及び挿入スロットにより摺動可能に嵌合される。本実施例において、第一のソケットは第一の係止溝内に配置され、第二のソケットは第二の係止溝内に配置される。
【００５６】
上述した実施例の各技術的特徴は任意に組み合わせることができる。記述の簡潔化のために、上述した実施例における各技術的特徴のあらゆる組合せについて説明していないが、これらの技術的特徴の組合せは矛盾しない限り、本明細書に記述されている範囲内であると考えられるべきである。
【００５７】
上述した実施例は、本発明のいくつかの実施形態を示したものにすぎず、その記述が具体的かつ詳細であるが、本発明の範囲を限定するものと解釈されるべきではない。なお、当業者にとって、本発明の趣旨から逸脱しないかぎり、若干の変形および改良を行うことができ、これら変形や改良もすべて本発明の保護範囲内に含まれる。本発明の保護範囲は、特許請求の範囲に準ずるものとする。
【図１】
2020087915.tif 000003
【図２】
2020087915.tif 000004
【図３】
2020087915.tif 000005
【図４】
2020087915.tif 000006
【図５】
2020087915.tif 000007
【図６】
2020087915.tif 000008
【図７】
2020087915.tif 000009
【図８】
2020087915.tif 000010
【図９】
2020087915.tif 000011
【図１０】
2020087915.tif 000012
【図１１】
2020087915.tif 000013
【図１２】
2020087915.tif 000014
【図１３】
2020087915.tif 000015
【図１４】
2020087915.tif 000016
【図１５】
2020087915.tif 000017